(57)【要約】  スキャンされた文書を記憶媒体（８０）に記憶させる方法は、個人識別番号（ＰＩＮ）を記憶媒体にデータで符号化してから記憶媒体をスキャナ（７０）に挿入するステップを含む。ＰＩＮが認証されるとスキャナが起動する。最低１枚の文書がスキャン可能である。その後、スキャンされた文書は記憶媒体に記憶される。
2007510367.tif 000002
【特許請求の範囲】
【請求項１】
スキャンされた文書を記憶媒体に記憶させる方法であって、
個人識別番号（ＰＩＮ）を前記記憶媒体にデータで符号化するステップと、
前記記憶媒体をスキャナに挿入するステップと、
前記個人識別番号（ＰＩＮ）を認証して前記スキャナを起動するステップと、
少なくとも１枚の文書をスキャンするステップと、
前記スキャンされた文書を前記記憶媒体に記憶させるステップとを含む方法。
【請求項２】
請求項１に記載の方法において、前記符号化するステップは、製造業者の識別符号をデータで符号化するステップを含む方法。
【請求項３】
請求項１に記載の方法において、前記符号化するステップは、小売業者の識別符号をデータで符号化するステップを含む方法。
【請求項４】
請求項１に記載の方法において、前記符号化するステップは、店の識別符号をデータで符号化するステップを含む方法。
【請求項５】
請求項１に記載の方法において、前記符号化するステップは、製造業者の識別符号、小売業者の識別符号、および店の識別符号をデータで符号化するステップを含む方法。
【請求項６】
請求項１に記載の方法において、前記符号化するステップは、暗号化部分と非暗号化部分とを含む方法。
【請求項７】
スキャンされた文書を記憶媒体に記憶させる方法であって、
個人識別番号を記憶媒体にデータで符号化するステップと、
前記個人識別番号を復号化するステップと、
前記個人識別番号に基づいてスキャン動作を認証するステップと、
最低１枚の文書をスキャンするステップと、
前記スキャンされた文書を前記記憶媒体に記憶させるステップとを含む方法。
【請求項８】
スキャンされた文書を記憶媒体に記憶させる方法であって、
記憶媒体製造場所において第１の個人識別番号（ＰＩＮ）を前記記憶媒体にデータで符号化するステップと、
小売場所において第２の個人識別番号を前記記憶媒体にデータで符号化するステップと、
前記個人識別番号をスキャナ上で復号化するステップと、
前記個人識別番号に基づいてスキャン動作を認証するステップと、
最低１枚の文書をスキャンするステップと、
前記スキャンされた文書を前記記憶媒体に記憶させるステップとを含む方法。
【請求項９】
文書を記憶媒体にスキャンするための料金を回収する方法であって、
個人識別番号（ＰＩＮ）を前記記憶媒体にデータで符号化するステップと、
前記記憶媒体を顧客に販売するステップと、
前記個人識別番号をスキャナにおいて復号化するステップと、
前記個人識別番号に基づいてスキャン動作を認証するステップと、
最低１枚の文書をスキャンするステップと、
前記スキャンされた文書を前記記憶媒体に記憶させるステップとを含む方法。
【請求項１０】
文書を記憶媒体にスキャンするための料金を回収する方法であって、
個人識別番号（ＰＩＮ）を前記記憶媒体にデータで符号化するステップと、
前記記憶媒体を顧客に販売するステップと、
前記個人識別番号をスキャナにおいて復号化するステップと、
最低１枚の文書をスキャンするステップと、
前記個人識別番号に基づいて、前記スキャンされた文書を前記記憶媒体に記憶させることを認証するステップとを含む方法。
【請求項１１】
画像を記憶しスキャナの動作を認証する記憶媒体であって、
前記記憶媒体はディジタル情報を記録するのに適合しており、
前記記憶媒体上でデータで符号化される個人識別番号（ＰＩＮ）を含み、
前記個人識別番号は前記スキャナの動作を認証する記憶媒体。
【請求項１２】
記憶媒体上に含まれる情報を読み出す読取り装置と、
前記記憶媒体上に含まれる個人識別番号（ＰＩＮ）を認証し、かつ前記スキャナの動作を認証するマイクロプロセッサと、
スキャンされた情報を前記記憶媒体に書き込む書込み装置とを含むスキャナ。
【発明の詳細な説明】
【技術分野】
【０００１】
本発明は、小売環境用のプロダクション文書スキャンサービスに関する。
【背景技術】
【０００２】
現在、消費者が小型プロダクションスキャナを利用するには、スキャンサービス業者を介する方法しかない。大半の一般消費者はそのようなサービスを認知しておらず、またサービス提供者に個人文書の管理を委託しようとは思わない。操作が簡単で、大量の情報を記憶媒体に書き込むことができ、かつ小売業者がかかるサービスの販売およびスキャナの動作認証を簡単に行うことができる高速スキャナを小売店の店頭に設置することが望まれている。
【発明の開示】
【課題を解決するための手段】
【０００３】
簡潔に述べると、本発明の一実施形態に従えば、スキャンされた文書を記憶媒体に記憶させる方法は、個人識別番号（ＰＩＮ）を記憶媒体にデータで符号化してから記憶媒体をスキャナに挿入するステップを含む。ＰＩＮが認証されるとスキャナが起動する。最低１枚の文書のスキャンが可能である。その後、スキャンされた文書は記憶媒体に記憶される。
【０００４】
本発明は、小売環境において、消費者が高速スキャナの速度と機能との情報にアクセスできるようにする。スキャナは、大多数の消費者レベルにある顧客が直ちにハードウェアを購入できないような価格に設定される。本発明は、顧客の貴重な写真および文書の記憶かつ電子コピーの作成を助けるために、顧客がスキャナの速度と精度とを利用できるようにする。キンコーズ（登録商標）（Ｋｉｎｋｏｓ）、メイルボックス（Ｍａｉｌ  Ｂｏｘ）等の便利な小売店、およびコピーサービス会社、コンビニエンスストア等で利用できるスキャンベースとスキャナによって、かかるアクセスが可能となる。
【０００５】
ベースの外観は低く（すなわち高さ２インチ（約５．０８ｃｍ）未満）、ベースの上にスキャナを設置できるようにすることで、小売店のカウンターの占有スペースが非常に小さくてすむ。ユーザーに提示されるインターフェースは、単純なスキャナ用の３つ（すなわち写真スキャン、文書スキャン、停止）のボタンのコントロールである。本発明はまた、ユーザーがＣＤに書き込み中の画像をプレビューできるビューイングインターフェースを含む。他の実施形態では、ビューイングインターフェースはタッチスクリーンを含み、これは単純なコントロールインターフェースの下でより複雑なインターフェースを構築し、文書スキャンのすべての標準的なドライバインターフェースへのアクセスを与えるＴＷＡＩＮコントロールとして公知のプラットフォームとなる。さらに他の実施形態では、ＣＤ書き込みインターフェースは、個人識別番号（ＰＩＮ）とも称されるＧＵＩＤ（ｇｌｏｂａｌｌｙ  ｕｎｉｑｕｅ  ｉｄｅｎｔｉｆｉｅｒ）を含むＣＤのみを受入れるように設計される。小売業者は、ＣＤまたは他の書込み可能媒体を消費者に販売し、消費者はそのＣＤまたは他の書込み可能媒体が一杯になるまでその小売業者の任意のスキャナの使用が認可される。
【０００６】
システム設計は複数のマーケティングスキームを支持するようになっており、例えばＧＵＩＤのセットは、ウォルマート（Ｗａｌｍａｒｔ）、ウェグマン（Ｗｅｇｍａｎｓ）、およびＫマート（Ｋ−Ｍａｒｔ）のスキャナで使用できるが、キンコーズでは、自店で販売するＣＤのみが自店のスキャナで動作するようにアクセスを規制する場合もある。小売業者は、ディスカウント業者がＣＤを低価格で販売して自店の装置で使用させることを望まないので、この機能が必要である。このようなスキームを用いなければ、利益分配メカニズムが複雑になり、多くの小売業者が参加を辞退するであろう。
【０００７】
本発明および本発明の目的ならびに利点は、以下の好適な実施形態の詳細な説明からより明白になる。
【発明を実施するための最良の形態】
【０００８】
本発明は、本発明に従う装置を構成する各要素、またはかかる装置とより直接的に協働する各要素に関する。特に図示または説明しない要素は、当該技術分野で周知の各種形式で構成されうると理解されたい。
【０００９】
まず図１を参照すると、ベース２０は、ユーザーインターフェースを設ける傾斜した前面をもつ低外観の箱である。ユーザーインターフェースは単純さを重要視している。最低数のユーザーコントロール（ボタン４０，５０，６０）が設けられている。単純な形式では、３つのボタンと、画像プレビュー装置３０と、ＣＤ一度書込みドライブ１０とがインターフェースを構成する。３つのボタン（４０，５０，６０）は、以下のセットアップをスキャナに与える２つのスキャン可能化ボタン４０および５０を含む。写真スキャンボタン４０は、スキャナに以下の設定を行うことができる。
１）単純モード
２）自動切取り（クロップ）および歪み補正（デスキュー）
３）カラーテーブルは写真タイプの原稿を最良に電子的翻訳（レンディション）されたもの
４）解像度は３００ｄｐｉ
５）圧縮設定はＪＰＥＧ  ＢＥＳＴ
【００１０】
文書スキャンボタン５０は、スキャナに以下の設定を行うことができる。
１）２倍モード
２）自動切取り（クロップ）および歪み補正（デスキュー）
３）カラーテーブルは混合型
４）解像度は２００ｄｐｉ
５）二値化されたデュアルストリーム出力が選択
６）圧縮は中間設定
【００１１】
本実施形態では、インターフェースは、完全なＴＷＡＩＮインターフェースをエンドユーザーに提示する場合よりも大幅な簡便さをエンドユーザーに提供することができる。ベース２０は「ヘッドレス」中央処理装置（ＣＰＵ）ボードを内蔵している。ＣＰＵは、文書スキャナ７０向けの１３９４または同様のインターフェースと、ＣＤ書込み装置１０向けのＩＤＥ（ｉｎｔｅｌｌｉｇｅｎｔ  ｄｒｉｖｅ  ｅｌｅｃｔｒｏｎｉｃｓ）インターフェースと、上述のユーザーインターフェース（３０−６０）とを含んでいる。店頭タッチスクリーン付ＰＣにもこの機能性を与えることができることは、上級ユーザー向けにＴＷＡＩＮインターフェースをもっと露出させたい場合に有利である。
【００１２】
内蔵ＣＰＵ上で動作するカスタムソフトウェアアプリケーションは、既存のドライバを使用してスキャナを制御する。ソフトウェアは好適にはウィンドウズ（登録商標）アプリケーションを使用し、これはユーザー向けのオーディオプロンプトを含み、ユーザーインターフェースからの入力によってスキャナを制御する。ソフトウェアはまたＣＤ書込み装置１０を管理し、スキャナへのアクセスを正規のＧＵＩＤ１００を有するＣＤ８０のみに制限する。このために解読１６０用のソフトウェアおよび正規の暗号化キーのリストの入力が必要である。
【００１３】
本発明は、ベースハードウェアの販売およびサービス、ならびに消耗品である書込み可能なＣＤ８０からの収入を含むビジネスにも適用できる。このようなＣＤ８０は、仮想的に解読不可能な高性能ＧＵＩＤ１００（図２参照）を含む。ＧＵＩＤ１００は、小売業者に、自店の在庫からＣＤ８０を購入した消費者のみに自店のスキャナに対するアクセスを制限する安全手段を提供するか、または小売業者のビジネスモデルに応じて、有効なＧＵＩＤ１００付きのＣＤ８０が自店の文書スキャナ７０で動作できるようにする。このスキームにより、小売業者および販売者は自店のスキャナを消費者が使用することによる収入を確保できる。
【００１４】
ＧＵＩＤ１００定義（図２参照）
●ビット和１５０：ＧＵＩＤのバージョン、小売業者ＩＤ、ストアＩＤ、およびロックを含むバイナリＧＵＩＤデータの符号なし和（８ビットバイナリ）。このビット和は暗号化後で、かつＡＳＣＩＩ表示への変換前に計算される。このビット和の目的はデータ入力エラーの特定である。
●ＧＵＩＤバージョン１４０：ＧＵＩＤ番号の改訂番号（８ビットバイナリ）。これは暗号化キーの場所を指し、バージョンが新しくなるとキーの変更を伴う。
●ストアＩＤ１３０：小売業チェーン内の特定の店の識別子（２４ビットバイナリ）。
●小売業者ＩＤ１２０：特定の小売業者の識別子（２０ビットバイナリ）。
●ロック１１０：ＣＤ−Ｒ８０の識別子フィールドから読み出した１つのデータ（２０ビットバイナリ）。このフィールドの目的は、購入したＧＵＩＤ１００を含む空のＣＤ８０を任意の枚数の空ＣＤ−Ｒ８０に複製して何者かがサービスの不正使用を試みるのを阻止することである。この機能は複製を困難にする。書込み可能な各ＣＤ８０は、製造業者とＣＤ８０の型とを記載した識別子フィールドのトラックをもつ。このシステムで使用されるＣＤ８０は一般用としては消費者に販売されない。この識別子データの１つは、ＧＵＩＤ１００の暗号化部分に含まれる。ＧＵＩＤ１００がスキャンベース２０によって確認時間に解読されれば、ディスクから読み出したディスク識別子データとＧＵＩＤ１００のロック１１０部分とが比較される。一致しなければＣＤ８０は動作せず、可聴音が鳴り、ＣＤ８０はドライブ中にとどまる。
【００１５】
実際のＧＵＩＤ１００は、図２に示すように、ビット和１５０、ＧＵＩＤバージョン１４０、小売業者ＩＤ１２０、ストアＩＤ１３０、およびロック１１０のバイナリ表示から生成される。ＧＵＩＤバージョン１４０とビット和１５０とは、１６０で暗号化されてはならないことに注意されたい。
【００１６】
ビット和１５０とバージョン１４０とを除いたＧＵＩＤ１００は、ＡＳＣＩＩ形式に変換される前に、５６ビットキーでＤＥＳ（ｄａｔａ  ｅｎｃｒｙｐｔｉｏｎ  ｓｔａｎｄａｒｄ）１６０を用いて暗号化される。キーは非公開で、ＣＤ８０の製造業者が認知しており、キーが変更された場合は有効な小売業者に通知される。キーが変更されると新たなＧＵＩＤバージョン１４０をしるされる。これによりＧＵＩＤ１００が再構築され、セキュリティの侵害が検出されると暗号１６０が変更される。
【００１７】
ＧＵＩＤ１００は、１６個のケースインセンシティブな英数字からなるＡＳＣＩＩタイプ可能な文字で表示される（すなわち０−９およびＡｓ−Ｖｖ（０＝０、１＝１、Ａａ＝１０，．．．，Ｖｖ＝３１）を用いてベース３２で表わされる１０バイトバイナリＧＵＩＤである）。
【図面の簡単な説明】
【００１８】
【図１】本発明に従うスキャナの図である。
【図２】ＧＵＩＤレイアウトを示す図である。
【符号の説明】
【００１９】
１０  ＣＤ書込装置、２０  ベース、３０  画像プレビュー装置、４０  写真スキャンボタン、５０  文書スキャンボタン、６０  スキャン停止ボタン、７０  文書スキャナ、８０  書込み可能ＣＤまたは他の書込み可能記憶媒体、１００  ＧＵＩＤレイアウト、１１０  ロック、１２０  小売業者ＩＤ、１３０  ストアＩＤ、１４０  ＧＵＩＤバージョン、１５０  ビット和、１６０  ＧＵＩＤの暗号化部分。
【図１】
2007510367.tif 000003
【図２】
2007510367.tif 000004
【国際調査報告】
2007510367.tif 000005
2007510367.tif 000006
2007510367.tif 000007